(57)【要約】【課題】この発明は、外部機器を接続するためのコネクターに対する確実な静電気対策を講じることができる電子機器を提供することを課題とする。【解決手段】ノートＰＣに外部機器を接続するＵＳＢポート１８は、筐体１６ｂの側壁１６ｃに形成した開口部１８ａに対向して、ガスケットを収容配置するためのリブ構造体１０を有する。リブ構造体１０は、ガスケットを囲む枠部材１、および複数本のリブ４、５、６を有する。枠部材１の側壁１６ｃから離間した側には、コネクターのソケットによって押し潰されて変形したガスケットの変形部分を逃がすための切り欠き３が形成されている。【選択図】      図２
2011134499.tif 000002
【特許請求の範囲】
【請求項１】
導電性の内面を有する筐体と、
弾性を有する導電性のガスケットと、
上記筐体の内面に連続した導電性の表面を有して上記内面から突設され、上記ガスケットをその表面に接触せしめて収容配置したリブ構造体と、
上記ガスケットを上記リブ構造体に押し付けるように、上記ガスケットを上記リブ構造体との間に挟んで、該ガスケットに接触して取り付けられた、外部機器を接続するためのコネクターのソケットと、を有し、
上記リブ構造体は、該リブ構造体と上記ソケットとの間に挟まれて押し潰されて弾性変形された上記ガスケットの変形部分を逃がすための切り欠きを有することを特徴とする電子機器。
【請求項２】
上記リブ構造体は、上記ガスケットを載置する底部、および上記ガスケットの周囲を囲む枠部を有し、上記切り欠きは上記枠部を不連続にして形成されていることを特徴とする請求項１に記載の電子機器。
【請求項３】
上記リブ構造体の底部には、上記ガスケットに向けて突出したリブが設けられていることを特徴とする請求項２に記載の電子機器。
【請求項４】
上記リブ構造体の底部に設けられたリブは、上記枠部の上記切り欠きを通って上記筐体の内面に沿って上記枠部の外側まで延びていることを特徴とする請求項３に記載の電子機器。
【請求項５】
上記枠部の外側まで延びた上記リブの先端は、上記筐体の内面に向けて集束して傾斜していることを特徴とする請求項４に記載の電子機器。
【請求項６】
上記枠部が上記ソケットに対向した上端には、押し潰されて変形された上記ガスケットの変形部分を逃がすための凹み部が形成されていることを特徴とする請求項２に記載の電子機器。
【請求項７】
上記凹み部は、上記切り欠きに連続していることを特徴とする請求項６に記載の電子機器。
【請求項８】
上記ガスケットは、スポンジに導電性の布を巻いた構造を有し、上記布が上記切り欠きに対向する姿勢で、上記リブ構造体に収容配置されていることを特徴とする請求項１に記載の電子機器。
【発明の詳細な説明】
【技術分野】
【０００１】
この発明は、例えば、ＳＡＴＡ（Serial Advanced Technology Attachment）やＵＳＢ（Universal Serial Bus）などのコネクターのプラグを接続可能なソケットを有する電子機器に関する。
【背景技術】
【０００２】
下記特許文献１には、プラズマディスプレイパネル（ＰＤＰ）の金属製のエスカッションと導電性のバックカバーを導電性のガスケットを挟んで接合してＥＭＩ（Electro Magnet Interference）対策を施したシールド筐体について開示されている。このシールド筐体のバックカバーは、加工が容易な導電性の樹脂によって形成されている。
【０００３】
このように、バックカバーを樹脂によって形成することで、ガスケットの脱落防止機能を果すガスケット固定リブをバックカバーから突設せしめることができ、ガスケットがエスカッションとバックカバーとの間から脱落することを防止できる。
【０００４】
上記のような導電性のガスケットは、この他に、例えば、ノート型のパーソナルコンピューター（以下、単にノートＰＣと称する）などの電子機器でも使用される。一般に、ノートＰＣは、ＳＡＴＡやＵＳＢなどのコネクターを介してフラッシュメモリーなどの外部機器を接続するためのコネクターのソケットを備えている。また、ノートＰＣは、上述したＰＤＰと同様に、ＥＭＩ対策が必要とされており、通常、筐体の内面には、導電性塗料が塗布されている。
【０００５】
コネクターを介してノートＰＣに外部機器を接続する場合、外部機器に帯電した静電気がコネクターを介してノートＰＣの回路基板に伝達されないよう、コネクターに静電気対策を講じる必要がある。このため、通常、ＥＭＩ対策のため筐体に塗布してある導電性塗料に接触せしめた状態で導電性のガスケットを取り付けて、このガスケットを挟んでコネクターのソケットを筐体に導通させるように取り付けている。つまり、押し潰したガスケットの復元力を利用してソケットと導電性塗料との間の導通を確実なものにしている。
【先行技術文献】
【特許文献】
【０００６】
【特許文献１】特開２００１−３３２８８６号公報（［００１７］段落、図２）
【発明の概要】
【発明が解決しようとする課題】
【０００７】
しかし、上述したように、弾性を有するガスケットを押し潰すように２つの部材間に配置して導通を図る場合、ガスケットの復元力を利用して両者の間に必要な接触圧を発生させることができる反面、変形した状態のガスケットが接触する部材の形状に応じて接触圧に分布が生じる。例えば、変形したガスケットがリブなどに乗り上げて、その接触圧が局所的に大きくなると、ガスケットが塑性変形してしまう場合がある。このようにガスケットが部分的に塑性変形してしまうと、２つの部材に対する適切な接触圧を得ることができなくなる可能性がある。
【０００８】
この発明の目的は、外部機器を接続するためのコネクターに対する確実な静電気対策を講じることができる電子機器を提供することにある。
【課題を解決するための手段】
【０００９】
上記目的を達成するため、本発明の電子機器は、導電性の内面を有する筐体と、弾性を有する導電性のガスケットと、上記筐体の内面に連続した導電性の表面を有して上記内面から突設され、上記ガスケットをその表面に接触せしめて収容配置したリブ構造体と、上記ガスケットを上記リブ構造体に押し付けるように、上記ガスケットを上記リブ構造体との間に挟んで、該ガスケットに接触して取り付けられた、外部機器を接続するためのコネクターのソケットと、を有し、上記リブ構造体は、該リブ構造体と上記ソケットとの間に挟まれて押し潰されて弾性変形された上記ガスケットの変形部分を逃がすための切り欠きを有する。
【００１０】
上記発明によると、筐体の内面から突設されたリブ構造体がガスケットの変形部分を逃がすための切り欠きを有するため、変形部分がリブ構造体とソケットとの間に挟まれて局所的に強く潰されることを防止でき、ガスケットの変形部分における塑性変形を防止できる。これにより、コネクターのソケットを筐体に確実に導通させることができ、外部機器を接続するコネクターに対する確実な静電気対策を講じることができる。
【発明の効果】
【００１１】
この発明の電子機器は、上記のような構成および作用を有しているので、外部機器を接続するためのコネクターに対する確実な静電気対策を講じることができる。
【図面の簡単な説明】
【００１２】
【図１】図１は、この発明の実施の形態に係る電子機器の一例を示す外観斜視図である。
【図２】図２は、図１の電子機器の筐体内面に形成したリブ構造体を示す部分拡大斜視図である。
【図３】図３は、図２のリブ構造体、ガスケット、およびソケットの組立体を図２の線III-IIIの位置で切断した部分拡大断面図である。
【図４】図４は、図２のリブ構造体とソケットの間に配置するガスケットを二点鎖線で示した組立体を図２の線IV-IVの位置で切断した部分拡大断面図である。
【図５】図５は、図４のリブ構造体とソケットの間にガスケットを取り付けた状態を示す部分拡大断面図である。
【図６】図６は、図１の電子機器の筐体の一部を示す外観斜視図である。
【図７】図７は、図６の筐体の要部を部分的に拡大した部分拡大斜視図である。
【図８】図８は、図７の線IIX-IIXで切断した部分拡大断面図である。
【発明を実施するための形態】
【００１３】
以下、図面を参照しながらこの発明の実施の形態について詳細に説明する。  
図１には、この発明の実施の形態に係る電子機器の一例として、ノート型のパーソナルコンピューター１００（以下、単にノートＰＣ１００と称する）の外観斜視図を示してある。
【００１４】
図１に示すように、ノートＰＣ１００は、表面１１ａにキーボード１２やタッチパッド１３などの入力装置を備えたＰＣ本体１１、およびこのＰＣ本体１１の後端にヒンジ１４を介して回動自在に取り付けられた表示パネル１５を有する。表示パネル１５は、矩形板状の表示筐体を有し、その内面側に露出した表示画面１５ａを有し、図示のようにＰＣ本体１１の表面１１ａを開放した開位置と、表面１１ａを閉塞した不図示の閉位置と、の間で開閉可能となっている。
【００１５】
ＰＣ本体１１は、上記入力装置１２、１３を備えた表面１１ａ側の筐体１６ａと裏面側の筐体１６ｂ（図６参照）を嵌め合わせた矩形板状の筐体１６を有する。裏面側の筐体１６ｂの図中右側の側壁１６ｃには、図示しない外部機器を接続するためのＵＳＢコネクターのための２つのポート１８が並設されている。また、筐体１６ｂの左側の側壁１６ｅ（図６、図７に図示）にも、ＵＳＢ用のポート１８が設けられている。さらに、左側の筐体１６ｅには、この他に、ＵＳＢ用のポート１８より幅の広いＳＡＴＡ用のポート１９が設けられている。
【００１６】
以下、上述したＵＳＢポート１８の構造、およびこのＵＳＢポート１８を介して接続するＵＳＢコネクターの静電気対策について、図２乃至図５を参照して詳細に説明する。なお、ここでは、ＵＳＢコネクターについて代表して説明するが、本発明は、これ以外のコネクター、例えば、図６乃至図８に示すＳＡＴＡコネクターなどの他のコネクターの静電気対策としても適用可能であることは言うまでも無い。
【００１７】
ＵＳＢポート１８を介してノートＰＣ１００に接続される外部機器は、静電気を帯電する場合があり、この静電気がＵＳＢコネクターを介してノートＰＣ１００に内蔵された回路基板３２（後述する）に伝達されると、種々の不具合を生じる。このため、通常、ノートＰＣに外部機器を接続するコネクター類には、以下に説明するような静電気対策を講じる必要がある。
【００１８】
図２には、上述したようにＰＣ本体１１の裏面側の筐体１６ｂの側壁１６ｃ（１６ｅ）に形成したＵＳＢポート１８の開口部１８ａに対向して、筐体１６ｂ内の底壁１６ｄの内面から突設したリブ構造体１０の外観斜視図を示してある。また、図３には、図２のリブ構造体１０にガスケット２０を介してソケット３０を押し付けた組立体を図２の線III-IIIの位置で切断した部分拡大断面図を示してある。また、図４には、押し潰される前のガスケット２０を二点鎖線で示した組立体を図２の線IV-IVの位置で切断した部分拡大断面図を示してある。さらに、図５には、ガスケット２０をリブ構造体１０とソケット３０の間に挟んで押し潰した状態の組立体図２の線IV-IVの位置で切断した部分拡大断面図を示してある。
【００１９】
筐体１６ｂの底壁１６ｄの内面には、ＥＭＩ対策として導電性の塗料２が略全面に塗布されている。リブ構造体１０は、この導電性の内面２に連続した導電性の表面を形成するように、その表面に導電性の塗料２が塗布されている。本実施の形態では、リブ構造体１０は、筐体１６ｂの底壁１６ｄの内面から一体に突設されているが、リブ構造体１０を筐体１６ｂとは別体に用意して接着剤などで内面に貼り付けても良い。
【００２０】
ガスケット２０は、図５に示すように、弾性を有する矩形ブロック状のスポンジ２２を導電性の矩形帯状の布２４で巻いた構造を有する。ガスケット２０は、布２４が筐体１６ｂの側壁１６ｃにある開口部１８ａに対面する姿勢で、リブ構造体１０に収容配置される。ガスケット２０がリブ構造体１０内に収容配置されると、外側に巻かれた布２４がリブ構造体１０の表面２に接触して、両者が電気的に導通される。
【００２１】
一方、リブ構造体１０は、ガスケット２０の周囲を囲む略矩形枠状の枠部材１（枠部）を有する。枠部材１は、筐体１６ｂの側壁１６ｃの開口部１８ａから内側に離間した側に、切り欠き３を有する。つまり、切り欠き３は、枠部材１の開口部１８ａから離間した部位を不連続に分断することで形成されている。言い換えると、ガスケット２０は、その外側に巻いた布２２が枠部材１に形成した切り欠き３に対向する姿勢で枠部材１内に収容配置されていることになる。なお、このリブ構造体１０の枠部材１は、ガスケット２０をちょうど収容可能な大きさを有し、ガスケット２０を位置決めする機能をも有する。
【００２２】
また、枠部材２の内側で、筐体１６ｂの底壁１６ｄの内面２（底部）には、ガスケット２０に向けて突出した井桁状の複数本の細長いリブ４、５、６が設けられている。つまり、開口部１８ａから離れる方向（筐体１６ｂの側壁１６ｃと直交する方向）に互いに平行に離間して延びた２本のリブ４、およびこれら２本のリブ４と略直交する方向（側壁１６ｃと平行な方向）に互いに離間して延びた２本のリブ５、６が、筐体１６ｂの内面２から突設されている。これら４本のリブ４、５、６の突出高さは、上述した枠部材１の高さより低い。また、これら４本のリブ４、５、６の表面にも導電性の塗料２が塗布されている。
【００２３】
筐体１６ｂの側壁１６ｃと平行に配置された２本のリブ５、６のうち側壁１６ｃに近いリブ５は、もう一方のリブ６や他の２本のリブ４より突出高さが高くされており、ガスケット２０の側壁側の下端を係合して位置決めする。また、突出高さの比較的低い３本のリブ４、５は、ガスケット２０を載置するよう機能する。これら３本のリブ４、６の突出高さは、枠部材１の内側にガスケット２０を収容配置した状態で、ガスケット２０の上端面が枠部材１の上端より僅かに上方に突出する高さに設計されている。つまり、ガスケット２０は、布２４を３本のリブ４、６の上端に接触させた状態でこれら３本のリブ４、６上に載置されることになる（図４）。
【００２４】
また、側壁１６ｂと直交する方向に延びた２本のリブ４の側壁１６ｂから離間した先端４ａ（図４）は、枠部材１に形成した切り欠き３を介して枠部材１の外側まで延出している。そして、この枠部材１の外まで延出した２本のリブ４の先端４ａは、筐体１６ｂの底壁１６ｄの内面に向けて集束するように傾斜されている。
【００２５】
上述した姿勢（布２４が切り欠き３に対向する姿勢）で、ガスケット２０をリブ構造体１０の枠部材１の内側に収容配置した後、ＵＳＢコネクターのソケット３０がガスケット２０を押し潰すようにリブ構造体１０の上に取り付けられる。このとき、ソケット３０は、ＰＣ本体１１内に収容配置される回路基板３２に固設された状態で、回路基板３２の取り付けによってガスケット２０に押し付けられる。ソケット３０は、回路基板３２から離間した平らな押付面３４を有する。なお、ガスケット２０は、両面テープなどを用いてリブ４、６の上端辺に接着されている。
【００２６】
回路基板３２をＰＣ本体１１の裏面側の筐体１６ｂの内側に取り付ける場合、ソケット３０が取り付けられた側の回路基板３２の端縁が先に筐体１６ｂの側壁１６ｃに近付けられ、ソケット３０の開口側の端部が側壁１６ｃに形成された開口部１８ａに嵌め込まれる。そして、この後、ソケット３０の平らな押付面３４によってガスケット２０が徐々に押し潰されながら、回路基板３２が筐体１６ｂの底部内面２と平行な姿勢まで回動されて回路基板３２の取り付けが完了される。
【００２７】
このとき、リブ構造体１０内に収容配置されたガスケット２０がソケット３０の押付面３４によって押し潰されて弾性変形する。これにより、ガスケット２０の外側の導電性の布２４がリブ構造体１０の底部に押圧接触されるとともにソケット３０の押付面３４に押し付けられ、ソケット３０とリブ構造体１０（すなわち筐体の底壁の内面２）が電気的に導通される。
【００２８】
このとき、ガスケット２０の変形した部分は、リブ構造体１０の枠部材１に形成した切り欠き３からはみ出る。この状態を図５に示す。つまり、このとき、枠部材１の切り欠き３は、ガスケット２０の変形部分を逃がすように機能し、ガスケット２０の塑性変形を防止する。
【００２９】
ガスケット２０の変形部分は、この他に、ガスケット２０の側壁１６ｃ側の下端辺を係止するリブ６の上端を乗り越える。しかし、この部分は、リブ６の上端とソケット３０の押付面３４との間に隙間があるため、強く押し潰されることはなく、塑性変形することもない。
【００３０】
また、リブ構造体１０の枠部材１がソケット３０の押付面３４に対向した上端には、ガスケット２０の変形部分を逃がすための凹み部１ａ（図２、３）が形成されている。この凹み部１ａは、切り欠き３に連続して形成されており、切り欠き３の縁をなだらかに傾斜させている。
【００３１】
上述した切り欠き３や凹み部１ａは、押し潰されたガスケット２０が枠部材１から膨出した変形部分を逃がす手段として機能する。逆に、これら切り欠き３や凹み部１ａを設けない場合、変形したガスケット２０が枠部材１の上端を乗り越えて枠部材１から膨出することになる。この場合、枠部材１の上端に僅かな隙間を開けて近接したソケット３０の押付面３４によって、ガスケット２０の枠部材１を乗り越えた変形部分が強く潰されて、塑性変形してしまう可能性がある。
【００３２】
このため、本実施の形態では、ガスケット２０を収容配置したリブ構造体１０の枠部材１に切り欠き３や凹み部１ａを形成して、ガスケット２０の変形部分を逃がすようにした。これにより、ガスケット２０の変形部分に不所望な応力が集中することを防止でき、ガスケット２０の塑性変形を防止することができ、長期間にわたってガスケット２０の良好な接触状態を維持することができる。
【００３３】
言い換えると、本実施の形態によると、ガスケット２０を収容して取り付けるリブ構造体１０に切り欠き３を設けることで、コネクターのソケット３０を筐体１６ｂの底壁１６ｄの内面２に確実に導通させることができ、十分な静電気対策を講じることができる。また、このとき、リブ構造体１０の底部に突設した２本のリブ４の先端４ａを切り欠き３から外側に延設して傾斜させたため、この部分においても、切り欠き３から膨出したガスケット２０の変形部分に対する接触を保つことができ、より良好な接触状態を維持することができる。
【００３４】
特に、本実施の形態では、ガスケット２０の導電性の布２４の巻き方向に関連して、ガスケット２０を収容配置するリブ構造体１０の枠部材１に形成する切り欠き３の位置を設定した。つまり、ガスケット２０を潰すと、中のスポンジ２２は布２４が巻かれていない端部から膨出しようとするが、外側の布２４はその巻回方向に変形しようとする。言い換えると、布２４を巻いたガスケット２０の変形方向は、布２４の巻回方向に略依存する。このため、本実施の形態では、ガスケット２０が変形して膨出する方向に切り欠き３を位置させるように、枠部材１に形成する切り欠き３の位置を設定した。
【００３５】
特に、回路基板３２の取り付け時には、上述したように、回路基板３２を傾斜させた状態から底面と平行な状態まで回動させるため、始めは、ソケット３０の押付面３４がガスケット２０の上面に対して傾斜した状態で押し付けられる。このため、押付面３４からの押圧力がガスケット２０に対して斜めに作用し、側壁１６ｃから離れる方向にガスケット２０が押圧されることになる。つまり、この方向に切り欠き３を設けることで、ガスケット２０の変形部分を切り欠き３から逃がすことができる。
【００３６】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００３７】
例えば、上述した実施の形態では、ノートＰＣの静電気対策として本発明を適用した場合について説明したが、これに限らず、ＰＤＡなどの他の電子機器に本発明を適用しても良い。
【００３８】
また、上述した実施の形態では、ＵＳＢ用のコネクターに本発明を適用した場合について説明したが、これに限らず、図６乃至図８に示すように、サイズの異なるコネクターに本発明を適用することもできる。ここで、上述したＵＳＢ用のコネクターより少し幅の広いＳＡＴＡ用のコネクターに本発明を適用する場合について説明する。
【００３９】
この場合、ＵＳＢコネクターのときと同じサイズ（幅）のガスケット２０を利用するため、ガスケット２０の幅方向（側壁１６ｃに沿った方向）両端を押える構造が追加されている。つまり、図７に示すように、ＳＡＴＡ用のコネクターのポート１９に対向して底壁１６ｄの内面２から突設されたリブ構造体４０は、ガスケット２０の幅方向両端（下端）を係止する２つのストッパー４２を有する。
【００４０】
ストッパー４２は、上述したリブ６の両端を上方に折り曲げて一体に設けられており、ガスケット２０の下端近くに接触するサイズを有する。つまり、上述したＵＳＢ用のリブ構造体１０の枠部材１がガスケット２０をちょうど収容可能な大きさに形成されているのに対し、このリブ構造体４０は、ストッパー４２を設けることで、ガスケット２０の幅方向への移動を規制している。
【産業上の利用可能性】
【００４１】
この発明は、ノートＰＣやＰＤＡなどの電子機器に外部機器を接続するコネクターの静電気対策として利用可能である。
【符号の説明】
【００４２】
１…枠部材、２…内面、３…切り欠き、４、５、６…リブ、４ａ…先端、１０、４０…リブ構造体、１１…ＰＣ本体、１６ｂ…筐体、１６ｃ…側壁、１６ｄ…底壁、１８…ＵＳＢポート、１８ａ…開口部、２０…ガスケット、２２…スポンジ、２４…布、３０…ソケット、３２…回路基板、３４…押付面、４２…ストッパー、１００…ノートＰＣ。
【図１】
2011134499.tif 000003
【図２】
2011134499.tif 000004
【図３】
2011134499.tif 000005
【図４】
2011134499.tif 000006
【図５】
2011134499.tif 000007
【図６】
2011134499.tif 000008
【図７】
2011134499.tif 000009
【図８】
2011134499.tif 000010
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
導電性の内面を有する筐体と、
導電性の弾性部材と、
上記筐体内に収容され、上記筐体の内面とは反対側から上記弾性部材と当接し、該弾性部材を上記筐体の内面に向かって押圧した、外部機器を接続するためのコネクターのソケットと、
上記筐体の内面から突出され、上記弾性部材を囲み、上記ソケットと上記筐体の内面との間に亘る上記弾性部材の周囲を押圧する領域と、上記ソケットと上記筐体の内面との間に亘る上記弾性部材の周囲を押圧から解放する領域と、を含む枠部と、
を有する電子機器。
【請求項２】
上記枠部の内側の上記筐体の内面には、上記弾性部材に向けて突出したリブが設けられている請求項１に記載の電子機器。
【請求項３】
上記筐体の内面に設けられたリブは、上記枠部の上記解放する領域を通って上記筐体の内面に沿って上記枠部の外側まで延びている請求項２に記載の電子機器。
【請求項４】
上記枠部の外側まで延びた上記リブの先端は、上記筐体の内面に向けて集束して傾斜している請求項３に記載の電子機器。
【請求項５】
上記枠部が上記ソケットに対向した上端には、押し潰されて変形された上記弾性部材の変形部分を逃がすための凹み部が形成されている請求項１に記載の電子機器。
【請求項６】
上記凹み部は、上記解放する領域に連続している請求項５に記載の電子機器。
【請求項７】
上記弾性部材は、スポンジに導電性の布を巻いた構造を有し、上記布が上記解放する領域に対向する姿勢で、上記枠部内に収容配置されている請求項１に記載の電子機器。
【請求項８】
導電層が内面に設けられた筐体と、
導電性の弾性部材と、
前記筐体内に収容され、前記筐体の内面とは反対側から前記弾性部材と当接し、該弾性部材を上記筐体の内面に向かって押圧した収容部品と、
前記筐体内に位置され、開口部が設けられるとともに上記弾性部材の側面と当接した当接部を有し、該弾性部材を囲む周壁部と、
を有する電子機器。
【手続補正２】
【補正対象書類名】明細書
【補正対象項目名】０００９
【補正方法】変更
【補正の内容】
【０００９】
上記目的を達成するため、本発明の電子機器は、導電性の内面を有する筐体と、導電性の弾性部材と、上記筐体内に収容され、上記筐体の内面とは反対側から上記弾性部材と当接し、該弾性部材を上記筐体の内面に向かって押圧した、外部機器を接続するためのコネクターのソケットと、上記筐体の内面から突出され、上記弾性部材を囲み、上記ソケットと上記筐体の内面との間に亘る上記弾性部材の周囲を押圧する領域と、上記ソケットと上記筐体の内面との間に亘る上記弾性部材の周囲を押圧から解放する領域と、を含む枠部と、を有する。
【手続補正３】
【補正対象書類名】明細書
【補正対象項目名】００１０
【補正方法】変更
【補正の内容】
【００１０】
上記発明によると、筐体の内面から突出された枠部が弾性部材の変形部分を逃がすための解放する領域を有するため、変形部分が枠部とソケットとの間に挟まれて局所的に強く潰されることを防止でき、弾性部材の変形部分における塑性変形を防止できる。これにより、コネクターのソケットを筐体に確実に導通させることができ、外部機器を接続するコネクターに対する確実な静電気対策を講じることができる。
【手続補正４】
【補正対象書類名】明細書
【補正対象項目名】００４０
【補正方法】変更
【補正の内容】
【００４０】
ストッパー４２は、上述したリブ６の両端を上方に折り曲げて一体に設けられており、ガスケット２０の下端近くに接触するサイズを有する。つまり、上述したＵＳＢ用のリブ構造体１０の枠部材１がガスケット２０をちょうど収容可能な大きさに形成されているのに対し、このリブ構造体４０は、ストッパー４２を設けることで、ガスケット２０の幅方向への移動を規制している。
以下、本願の出願当初の特許請求の範囲に記載された発明を付記する。
［１］  導電性の内面を有する筐体と、
弾性を有する導電性のガスケットと、
上記筐体の内面に連続した導電性の表面を有して上記内面から突設され、上記ガスケットをその表面に接触せしめて収容配置したリブ構造体と、
上記ガスケットを上記リブ構造体に押し付けるように、上記ガスケットを上記リブ構造体との間に挟んで、該ガスケットに接触して取り付けられた、外部機器を接続するためのコネクターのソケットと、を有し、
上記リブ構造体は、該リブ構造体と上記ソケットとの間に挟まれて押し潰されて弾性変形された上記ガスケットの変形部分を逃がすための切り欠きを有することを特徴とする電子機器。
［２］  上記リブ構造体は、上記ガスケットを載置する底部、および上記ガスケットの周囲を囲む枠部を有し、上記切り欠きは上記枠部を不連続にして形成されていることを特徴とする［１］に記載の電子機器。
［３］  上記リブ構造体の底部には、上記ガスケットに向けて突出したリブが設けられていることを特徴とする［２］に記載の電子機器。
［４］  上記リブ構造体の底部に設けられたリブは、上記枠部の上記切り欠きを通って上記筐体の内面に沿って上記枠部の外側まで延びていることを特徴とする［３］に記載の電子機器。
［５］  上記枠部の外側まで延びた上記リブの先端は、上記筐体の内面に向けて集束して傾斜していることを特徴とする［４］に記載の電子機器。
［６］  上記枠部が上記ソケットに対向した上端には、押し潰されて変形された上記ガスケットの変形部分を逃がすための凹み部が形成されていることを特徴とする［２］に記載の電子機器。
［７］  上記凹み部は、上記切り欠きに連続していることを特徴とする［６］に記載の電子機器。
［８］  上記ガスケットは、スポンジに導電性の布を巻いた構造を有し、上記布が上記切り欠きに対向する姿勢で、上記リブ構造体に収容配置されていることを特徴とする［１］に記載の電子機器。